(57)【要約】【課題】複数の配線にＬＥＤを設ける場合であっても、不要輻射を低減することができる発光装置を提供する。【解決手段】第１配線１０には、複数のＬＥＤ１５が接続される。第２配線にも、複数のＬＥＤ２５が接続される。ＬＥＤ１５，２５は、直線状に交互に並ぶように配置される。このとき、直線状に並ぶように配置される各ＬＥＤの中から両端を除いたＬＥＤのうち、少なくとも一部のＬＥＤは、両隣のＬＥＤとカソード同士およびアノード同士が向き合うように配置される。各配線における複数のＬＥＤが設けられていない部分１３，２３は、直線状に並んだＬＥＤの一端側より折り返すように配置される。【選択図】図１
2007207922.tif 000002
【特許請求の範囲】
【請求項１】
発光ダイオードを有する発光装置であって、
複数の発光ダイオードが同じ向きで接続された複数の配線を有し、
複数の配線の発光ダイオードが直線状に並ぶように配置され、
直線状に並ぶように配置される発光ダイオードの中から両端を除いた発光ダイオードのうちの少なくとも一部の発光ダイオードは、両隣の発光ダイオードとカソード同士およびアノード同士が向き合うように配置され、
各配線における複数の発光ダイオードが設けられていない部分は、直線状に並んだ発光ダイオードの一端側より折り返すように配置される
ことを特徴とする発光装置。
【請求項２】
直線状に並ぶように配置される発光ダイオードの中から両端を除いた発光ダイオードの全てが、両隣の発光ダイオードとカソード同士およびアノード同士が向き合うように配置される
請求項１に記載の発光装置。
【発明の詳細な説明】
【技術分野】
【０００１】
本発明は、発光装置に関し、特に、発光ダイオードを用いた発光装置に関する。
【背景技術】
【０００２】
液晶表示装置等のバックライトとして、発光ダイオード（以下、ＬＥＤと記す。）を用いた発光装置が使用されることがある。このような発光装置の例が、例えば、特許文献１に記載されている。特許文献１には、１本の配線上にＬＥＤを同じ向きに直列に接続した発光装置（発光媒体）が記載されている。
【０００３】
発光輝度を高くする場合には、ＬＥＤの数を増加させればよい。しかし、特許文献１に記載された発光装置において、ＬＥＤの数を増加させると、直列に接続されたＬＥＤに供給すべき電圧が発光装置の最大駆動電圧を超えてしまうことがある。例えば、ＬＥＤ１個当りにおける電流を安定に流すための電圧が３．５Ｖであるとする。また、発光装置の最大駆動電圧が２０Ｖであるとする。このとき、ＬＥＤを１０個直列に接続すると、３．５×１０＝３５Ｖの電圧を供給しなければならいが、実際には２０Ｖしか供給できない。
【０００４】
そこで、発光装置の構成を図７に示す構成とすることにより、最大駆動電圧の範囲内でＬＥＤに電圧を供給することができる。図７に示す例では、第１配線１００にＬＥＤ１１５を５個直列に接続している。同様に、第２配線２００にＬＥＤ２２５を５個直列に接続している。そして、第１配線１００のＬＥＤ１１５と第２配線２００のＬＥＤ２２５とが、直線状に交互に並ぶように配置される。このとき、各ＬＥＤ１１５および各ＬＥＤ２２５は、全て同じ向きになるように配置される。また、第１配線１００のうち、ＬＥＤが設けられていない部分１１３は、直線状に並んだＬＥＤの一端側より折り返すようにして配置される。第２配線２００のうち、ＬＥＤが設けられていない部分２２３も、直線状に並んだＬＥＤの一端側より折り返すようにして配置される。
【０００５】
なお、第１配線１００のＬＥＤ１１５と第２配線２００のＬＥＤ２２５とを交互に並べるのは、いずれかの配線に障害（断線等）が発生しても、画面全体に光を照射できるようにするためである。仮に、ＬＥＤを交互に並べないとすると、例えば、一方の配線が断線したときに、画面の半分にしか光が照射されない。
【０００６】
第１配線１００では、アノード端子１１１からカソード端子１１２に電流が流される。このとき、第１配線１００に接続されているＬＥＤは５個であるので、この５個のＬＥＤには３．５×５＝１７．５Ｖの電圧が供給される。同様に、第２配線２００に接続されている５個のＬＥＤにも１７．５Ｖの電圧が供給される。このように、ＬＥＤが接続される配線を複数設けることで、ＬＥＤに対する供給電圧が最大駆動電圧（本例では２０Ｖ）を超えることを防止できる。
【０００７】
図７に例示する構成の発光装置において、輝度を調整する場合には、一定周期（この周期をＴとする。）における電圧供給時間を変更すればよい。図８は、一定周期ＴにおけるＬＥＤに対する電圧供給時間の例を示す説明図である。発光装置の輝度を最大にするときには、各周期Ｔにおいて電圧を供給し続ければよい。また、輝度を下げる場合には、図８に示すように、各周期Ｔにおける一部の時間だけ電圧を供給すればよい。図８に示すように、周期Ｔの開始とともに電圧供給を開始して周期Ｔの終了よりも前に電圧供給を停止することを繰り返せば、輝度を低下させることができる。電圧供給時間を短くするほど、輝度は低下する。
【０００８】
【特許文献１】特開２００４−６９１２号公報（図３）
【発明の開示】
【発明が解決しようとする課題】
【０００９】
図７に例示する構成の発光装置では、不要輻射の発生という問題が生じる。図７に示す例では、第１配線１００におけるＬＥＤが設けられていない部分１１３に電流が流れることで、磁界１４１が生じる。同様に、図７に示すように、磁界１４２，１４３，１４４も生じる。磁界１４１，１４２は、互いに打ち消し合う向きに発生し、磁界１４３，１４４も、互いに打ち消し合う向きに発生する。しかし、磁界１４２，１４３の向きは同方向であり、磁界１４２，１４３によって、磁界１４２，１４３よりも大きな磁界が発生する。
【００１０】
このような不要輻射により、近傍のオーディオシステムにノイズが発生する等の問題が生じる。例えば、図７に例示する発光装置がカーナビゲーションシステムの液晶表示装置のバックライトとして用いられる場合、不要輻射が原因となって、そのカーナビゲーションシステムに含まれるオーディオシステムにノイズが発生してしまう。
【００１１】
また、上述の不要輻射により、表示装置にも不要なラインが発生してしまう。このラインの本数は、磁界の発生周波数の整数倍と表示装置の水平周波数との差の最小値と、表示装置の垂直周波数との比によって決まる。各配線１００，２００に電流を流し始めるときに磁界が生じるので、図８に示すように磁界の発生周期はＴであり、磁界発生周波数は１／Ｔとなる。ここでは、磁界発生周波数が４００Ｈｚ、表示装置の水平周波数が１５．４ＫＨｚ、表示装置の垂直周波数が６０Ｈｚである場合を例にする。磁界の発生周波数の整数倍と表示装置の水平周波数との差の最小値は、４００Ｈｚの３８倍と、１５．４ＫＨｚとの差である２００Ｈｚである。この差を、表示装置の垂直周波数で除算した値が、表示装置に発生してしまうライン数である。よって、本例では、２００／６０＝３．３となり、約３．３本のラインが発生する。
【００１２】
このように不要輻射により、オーディオシステムや表示画面にノイズが生じてしまう。
【００１３】
そこで本発明は、複数の配線にＬＥＤを設ける場合であっても、不要輻射を低減することができる発光装置を提供することを目的とする。
【課題を解決するための手段】
【００１４】
本発明の態様１は、発光ダイオードを有する発光装置であって、複数の発光ダイオードが同じ向きで接続された複数の配線を有し、複数の配線の発光ダイオードが直線状に並ぶように配置され、直線状に並ぶように配置される発光ダイオードの中から両端を除いた発光ダイオードのうちの少なくとも一部の発光ダイオードが、両隣の発光ダイオードとカソード同士およびアノード同士が向き合うように配置され、各配線における複数の発光ダイオードが設けられていない部分が、直線状に並んだ発光ダイオードの一端側より折り返すように配置されることを特徴とする発光装置を提供する。
【００１５】
本発明の態様２は、態様１において、直線状に並ぶように配置される発光ダイオードの中から両端を除いた発光ダイオードの全てが、両隣の発光ダイオードとカソード同士およびアノード同士が向き合うように配置される発光装置を提供する。
【発明の効果】
【００１６】
本発明によれば、複数の配線に発光ダイオードを設ける場合であっても、不要輻射を低減することができる。
【発明を実施するための最良の形態】
【００１７】
以下、本発明の実施の形態を図面を参照して説明する。
【００１８】
［実施の形態１］図１は、本発明の発光装置の第１の実施の形態を示す説明図である。図１に示すように、発光ダイオード（以下、ＬＥＤと記す。）が接続された複数の配線（第１配線１０および第２配線２０）を設ける。第１配線１０および第２配線２０は、基板（図示せず。）上に設けられる。基板として、例えば、ＦＰＣ（Flexible Printed Circuit）やＭＣＰＣＢ（Metal Core Printed Circuit Board）等を用いればよい。
【００１９】
第１配線１０には、複数（図１に示す例では５個）のＬＥＤ１５が接続される。第２配線２０にも、複数（図１に示す例では５個）のＬＥＤ２５が接続される。各配線に接続されるＬＥＤの個数は、同数であることが好ましい。各配線１０，２０それぞれにおいて、ＬＥＤはいずれも同方向を向くように接続される。すなわち、第１配線１０に接続されているＬＥＤ１５のカソードは、第１配線１０に接続されている他のＬＥＤ１５のアノードに接続される。同様に、第２配線２０に接続されているＬＥＤ２５のカソードは、第２配線２０に接続されている他のＬＥＤ２５のアノードに接続される。
【００２０】
また、第１配線１０に接続されるＬＥＤ１５のうち、一方の端のＬＥＤのアノードは、第１配線のアノード端子１１に接続される。第１配線１０に接続されるＬＥＤ１５のうち、もう一方の端のＬＥＤのカソードは、第１配線のカソード端子１２に接続される。同様に、第２配線２０に接続されるＬＥＤ２５のうち、一方の端のＬＥＤのアノードは、第２配線のアノード端子２１に接続される。第２配線２０に接続されるＬＥＤ２５のうち、もう一方の端のＬＥＤのカソードは、第２配線のカソード端子２２に接続される。
【００２１】
図１に示すように、第１配線１０の各ＬＥＤ１５および第２配線の各ＬＥＤ２５は、直線状に交互に並ぶように配置される。ただし、直線状に並ぶように配置される第１配線１０の各ＬＥＤ１５および第２配線の各ＬＥＤ２５の中から両端を除いたＬＥＤのうち、少なくとも一部のＬＥＤは、両隣のＬＥＤとカソード同士およびアノード同士が向き合うように配置される。なお、直線状に並ぶように配置されるＬＥＤのうち、両端のＬＥＤは、片側にしかＬＥＤが存在しないので、片側に隣接するＬＥＤとカソード同士あるいはアノード同士が向き合うように配置される。図１に示す例では、直線状に並ぶように配置される第１配線１０の各ＬＥＤ１５および第２配線２０の各ＬＥＤ２５の中から両端を除いた全てのＬＥＤが、両隣のＬＥＤとカソード同士およびアノード同士が向き合うように配置される。なお、図１に示す左端のＬＥＤは、片側に隣接するＬＥＤとカソード同士が向き合うように配置されている。図１に示す右端のＬＥＤも同様である。
【００２２】
また、各配線における複数のＬＥＤが設けられていない部分は、直線状に並んだＬＥＤの一端側より折り返すように配置される。例えば、図１に示すように、第１配線１０における複数のＬＥＤ１５が設けられていない部分１３は、直線状に並んだＬＥＤの一端側より折り返すように配置される。同様に、第２配線２０における複数のＬＥＤ２５が設けられていない部分２３も、直線状に並んだＬＥＤの一端側より折り返すように配置される。
【００２３】
また、本実施の形態では、１本の配線が折り返して配置され、その隣に他の配線が折り返して配置される。その結果、第１配線のカソード端子１２、アノード端子１１が並び、その隣に、第２配線のカソード端子２２、アノード端子２１が並ぶ（図１参照。）。
【００２４】
次に、各配線１０，２０に電流を流したときに発生する磁界について説明する。第１配線１０では、第１配線のアノード端子１１から第１配線のカソード端子１２に電流が流される。この結果、図１に示す磁界４１，４２が発生する。磁界４１は、第１配線１０における複数のＬＥＤ１５が設けられていない部分１３に電流が流れたことにより生じる磁界である。磁界４２は、第１配線１０におけるＬＥＤを設けた部分に電流が流れたことにより生じる磁界である。同様に、第２配線２０では、第２配線のアノード端子２１から第２配線のカソード端子２２に電流が流される。この結果、図１に示す磁界４３，４４が発生する。磁界４４は、第２配線２０における複数のＬＥＤ２５が設けられていない部分２３に電流が流れたことにより生じる磁界である。磁界４３は、第２配線２０におけるＬＥＤを設けた部分に電流が流れたことにより生じる磁界である。
【００２５】
磁界４１，４２は、互いに打ち消し合う向きに発生する。磁界４２，４３も、互いに打ち消し合う向きに発生する。また、磁界４３，４４も互いに打ち消し合う向きに発生する。従って、互いに近傍に配置される配線に生じる磁界であって、向きが同じになる磁界が生じることはない。例えば、図７に示す磁界１４２，１４３のように、向きが同じになり、磁界の強さがより大きくなってしまうことはない。従って、本発明の発光装置によれば、複数の配線にＬＥＤを設けても、不要輻射を低減することができる。その結果、不要輻射に起因するオーディオシステムや表示画面への影響を少なく抑えることができる。
【００２６】
また、図１では、２本の配線を設ける場合を示したが、さらに多くの配線を設けてもよい。この場合、基板に設ける配線の数を２本以下として、基板を複数重ねた積層基板とし、ＬＥＤを１枚の基板上に直線状に並べるように、ＬＥＤを引き回せばよい。図２は、複数の基板に配線を設ける場合の配線の配置例を示す説明図である。図１に示す構成部と同様の構成部については、図１と同一の符号を付し、詳細な説明を省略する。
【００２７】
図２（ａ）は、１枚の基板（図示せず。）に配置される第１配線１０および第２配線２０の配置例を示す。第１配線１０、第２配線２０それぞれに接続されているＬＥＤの数以外は、図１に示す配置と同様である。ただし、後述するＬＥＤ３５，４５が配置されることになる領域５０には、配線やＬＥＤが配置されない。
【００２８】
図２（ｂ）は、第１配線１０および第２配線２０が配置される基板（図示せず。）とは別の基板（図示せず。）に配置される配線の配置例を示す。図２（ｂ）に示すように、別の基板には、第３配線３０および第４配線４０が設けられる。そして、第３配線３０には複数のＬＥＤ３５が接続され、第４配線にも複数のＬＥＤ４５が接続される。
【００２９】
第３配線３０は、第１配線１０と同様に配置される。また、第４配線４０は、第２配線２０と同様に配置される。
【００３０】
各配線３０，４０それぞれにおいて、ＬＥＤはいずれも同方向を向くように接続される。また、第３配線３０に接続されるＬＥＤ３５のうち、一方の端のＬＥＤのアノードは、第３配線のアノード端子３１に接続される。第３配線３０に接続されるＬＥＤ３５のうち、もう一方の端のＬＥＤのカソードは、第３配線のカソード端子３２に接続される。同様に、第４配線４０に接続されるＬＥＤ４５のうち、一方の端のＬＥＤのアノードは、第４配線のアノード端子４１に接続される。第４配線４０に接続されるＬＥＤ４５のうち、もう一方の端のＬＥＤのカソードは、第４配線のカソード端子４２に接続される。
【００３１】
また、第３配線３０における複数のＬＥＤ３５が設けられていない部分３３は、第１配線１０における複数のＬＥＤ１５が設けられていない部分１３と同様に折り返して配置される。第４配線４０における複数のＬＥＤ４５が設けられていない部分４３は、第２配線２０における複数のＬＥＤ２５が設けられていない部分２３と同様に折り返して配置される。
【００３２】
ただし、第３配線３０のＬＥＤ３５および第４配線４０のＬＥＤ４５は、第１配線１０および第２配線２０が配置される基板（図示せず。）に引き回され、その基板上に配置される。すなわち、図２（ｂ）に示すＬＥＤ３５，４５の組は、第１配線１０および第２配線２０が配置される基板（図示せず。）における領域５０に引き回される。そして、各配線のＬＥＤ１５，２５，３５，４５が、順番に直線状に並ぶように配置される。ただし、直線状に並ぶように配置される各ＬＥＤ１５，２５，３５，４５の中から両端を除いたＬＥＤのうち、少なくとも一部のＬＥＤは、両隣のＬＥＤとカソード同士およびアノード同士が向き合うように配置される。なお、直線状に並ぶように配置されるＬＥＤのうち、両端のＬＥＤは、片側にしかＬＥＤが存在しないので、片側に隣接するＬＥＤとカソード同士あるいはアノード同士が向き合うように配置される。本例では、直線状に並ぶように配置される各ＬＥＤ１５，２５，３５，４５の中から両端を除いた全てのＬＥＤが、両隣のＬＥＤとカソード同士およびアノード同士が向き合うように配置される。なお、本例において、両端に位置するＬＥＤ（図２（ａ）に示す左端のＬＥＤ、および図２（ａ）に示す右端のＬＥＤ）は、片側に隣接するＬＥＤとカソード同士が向き合うように配置される。
【００３３】
このような構成として、第１配線１０、第２配線２０、第３配線３０および第４配線４０それぞれにおけるアノード端子からカソード端子に電流を流したとしても、各基板において、互いに近傍に配置される配線に生じる磁界であって、向きが同じになる磁界が生じることはない。従って、不要輻射を低減することができる。
【００３４】
ここでは、２枚の基板（図示せず。）を設ける場合を例にして説明したが、３枚以上の基板を設けて、ＬＥＤを１枚の基板上に直線状に並べるように、ＬＥＤを引き回してもよい。
【００３５】
［実施の形態２］第１の実施の形態では、１本の配線が折り返して配置され、その隣に他の配線が折り返して配置される場合について説明した。本発明の第２の実施の形態では、１本の配線が折り返して配置され、他の配線は、その配線を囲むようにして、折り返して配置される。さらに、他の配線を設ける場合も、その配線は、他の各配線を囲むようにして、折り返して配置される。
【００３６】
図３は、本発明の発光装置の第２の実施の形態を示す説明図である。図３に示すように、ＬＥＤが接続された複数の配線が基板（図示せず。）上に設けられる。ここでは、第１配線１０、第２配線２０、第３配線３０および第４配線４０の４本の配線を設ける場合を例にして説明する。なお、配線が設けられる基板として、例えば、ＦＰＣやＭＣＰＣＢ等を用いればよい。
【００３７】
第１配線１０には、複数のＬＥＤ１５が接続される。第２配線２０には、複数のＬＥＤ２５が接続される。第３配線３０には、複数のＬＥＤ３５が接続される。第４配線４０には、複数のＬＥＤ４５が接続される。各配線に接続されるＬＥＤの個数は、同数であることが好ましい。図３に示す例では、各配線１０〜４０に、それぞれＬＥＤが４個ずつ接続されている場合を示している。
【００３８】
各配線１０〜４０それぞれにおいて、ＬＥＤはいずれも同方向を向くように接続される。すなわち、第１配線１０に接続されているＬＥＤ１５のカソードは、第１配線１０に接続されている他のＬＥＤ１５のアノードに接続される。同様に、第２配線２０に接続されているＬＥＤ２５のカソードは、第２配線２０に接続されている他のＬＥＤ２５のアノードに接続される。同様に、第３配線３０に接続されているＬＥＤ３５のカソードは、第３配線３０に接続されている他のＬＥＤ３５のアノードに接続される。また、同様に、第４配線４０に接続されているＬＥＤ４５のカソードは、第４配線４０に接続されている他のＬＥＤ４５のアノードに接続される。
【００３９】
また、第１配線１０に接続されるＬＥＤ１５のうち、一方の端のＬＥＤのアノードは、第１配線のアノード端子１１に接続される。第１配線１０に接続されるＬＥＤ１５のうち、もう一方の端のＬＥＤのカソードは、第１配線のカソード端子１２に接続される。同様に、第２配線２０に接続されるＬＥＤ２５のうち、一方の端のＬＥＤのアノードは、第２配線のアノード端子２１に接続される。第２配線２０に接続されるＬＥＤ２５のうち、もう一方の端のＬＥＤのカソードは、第２配線のカソード端子２２に接続される。また、同様に、第３配線３０に接続されるＬＥＤ３５のうち、一方の端のＬＥＤのアノードは、第３配線のアノード端子３１に接続される。第３配線３０に接続されるＬＥＤ３５のうち、もう一方の端のＬＥＤのカソードは、第３配線のカソード端子３２に接続される。また、同様に、第４配線４０に接続されるＬＥＤ４５のうち、一方の端のＬＥＤのアノードは、第４配線のアノード端子４１に接続される。第４配線４０に接続されるＬＥＤ４５のうち、もう一方の端のＬＥＤのカソードは、第４配線のカソード端子４２に接続される。
【００４０】
図３に示すように、第１配線の各ＬＥＤ１５、第２配線の各ＬＥＤ２５、第３配線の各ＬＥＤ３５および第４配線の各ＬＥＤ４５は、ＬＥＤ１５，ＬＥＤ２５，ＬＥＤ３５，ＬＥＤ４５の順番に繰り返し並ぶように配置される。また、各ＬＥＤは、直線状に並ぶように配置される。ただし、直線状に並ぶように配置される各ＬＥＤの中から両端を除いたＬＥＤのうち、少なくとも一部のＬＥＤは、両隣のＬＥＤとカソード同士およびアノード同士が向き合うように配置される。なお、直線状に並ぶように配置されるＬＥＤのうち、両端のＬＥＤは、片側にしかＬＥＤが存在しないので、片側に隣接するＬＥＤとはカソード同士あるいはアノード同士が向き合うように配置される。図３に示す例では、直線状に並ぶように配置される各ＬＥＤ１５，２５，３５，４５の中から両端（右端のＬＥＤ１５および左端のＬＥＤ４５）を除いた全てのＬＥＤが、両隣のＬＥＤとカソード同士およびアノード同士が向き合うように配置される。なお、図３に示す左端のＬＥＤ４５は、片側に隣接するＬＥＤ３５とカソード同士が向き合うように配置されている。また、図３に示す右端のＬＥＤ１５は、片側に隣接するＬＥＤ２５とカソード同士が向き合うように配置されている。
【００４１】
また、各配線における複数のＬＥＤが設けられていない部分は、直線状に並んだＬＥＤの一端側より折り返すように配置される。例えば、図３に示すように、第１配線１０における複数のＬＥＤ１５が設けられていない部分１３は、直線状に並んだＬＥＤの一端側より折り返すように配置される。同様に、第２配線２０における複数のＬＥＤ２５が設けられていない部分２３も、直線状に並んだＬＥＤの一端側より折り返すように配置される。同様に、第３配線３０における複数のＬＥＤ３５が設けられていない部分３３も、直線状に並んだＬＥＤの一端側より折り返すように配置される。同様に、第４配線４０における複数のＬＥＤ４５が設けられていない部分４５も、直線状に並んだＬＥＤの一端側より折り返すように配置される。
【００４２】
また、第１配線１０が折り返して配置され、その第１配線１０を囲むようにして、第２配線２０が折り返して配置される。さらに、その第２配線２０を囲むようにして、第３配線３０が折り返して配置される。さらに、その第３配線３０を囲むようにして、第４配線４０が折り返して配置される。従って、第１配線のアノード端子１１、カソード端子１２を間に挟むようにして、第２配線のカソード端子２２、アノード端子２１が配置される。さらにその外側に、第３配線のアノード端子３１、カソード端子３２が、第１配線および第２配線の各端子２２，１１，１２，２１を挟むようにして配置される。さらにその外側に、第４配線のカソード端子４２、アノード端子４１が、他の配線の各端子３１，２２，１１，１２，２１，３２を挟むようにして配置される。
【００４３】
また、各配線においてＬＥＤ同士を接続する配線は、略乙字状に引き回される。図４は、略乙字状に引き回される配線を示す説明図である。図４では、第２配線におけるＬＥＤ２５同士を接続する配線を例に示している。図４に示すように、ＬＥＤ同士を接続する配線を略乙字状に引き回すことで、各配線（本例では、第１配線１０〜第４配線４０）が互いに交差してしまうことを防ぐことができる。また、一番内側に配置される配線（本例では、第１配線１０）のＬＥＤ同士を接続する配線は、略乙字状ではなく、略コの字状に引き回されていてもよい。図５は、第１配線のＬＥＤ１５同士を接続する配線を略コの字状に引き回した状態を示す説明図である。一番内側に配置される配線に関しては、図５に示すように、ＬＥＤ同士を接続する配線を略コの字状に引き回しても、他の配線と交差することを防ぐことができる。
【００４４】
次に、各配線１０〜４０に電流を流したときに発生する磁界について説明する。第１配線１０では、第１配線のアノード端子１１から第１配線のカソード端子１２に電流が流される。この結果、図３に示す磁界７１，７２が発生する。磁界７１は、第１配線１０におけるＬＥＤを設けた部分に電流が流れたことにより生じる磁界である。磁界７２は、第１配線１０における複数のＬＥＤ１５が設けられていない部分１３に電流が流れたことにより生じる磁界である。
【００４５】
同様に、第２配線２０では、第２配線のアノード端子２１から第２配線のカソード端子２２に電流が流される。この結果、図３に示す磁界７３，７４が発生する。磁界７３は、第２配線２０におけるＬＥＤを設けた部分に電流が流れたことにより生じる磁界である。磁界７４は、第２配線２０における複数のＬＥＤ２５が設けられていない部分２３に電流が流れたことにより生じる磁界である。
【００４６】
同様に、第３配線３０では、第３配線のアノード端子３１から第３配線のカソード端子３２に電流が流される。この結果、図３に示す磁界７５，７６が発生する。磁界７５は、第３配線３０におけるＬＥＤを設けた部分に電流が流れたことにより生じる磁界である。磁界７６は、第３配線３０における複数のＬＥＤ３５が設けられていない部分３３に電流が流れたことにより生じる磁界である。
【００４７】
同様に、第４配線４０では、第４配線のアノード端子４１から第４配線のカソード端子４２に電流が流される。この結果、図３に示す磁界７７，７８が発生する。磁界７７は、第４配線４０におけるＬＥＤを設けた部分に電流が流れたことにより生じる磁界である。磁界７８は、第４配線４０における複数のＬＥＤ４５が設けられていない部分４３に電流が流れたことにより生じる磁界である。
【００４８】
磁界７８および磁界７６は、互いに打ち消し合う向きに発生する。磁界７６および磁界７４、磁界７４および磁界７２、磁界７２および磁界７１、磁界７１および磁界７３、磁界７３および磁界７５、磁界７５および磁界７７に関しても同様に、互いに打ち消し合う向きに発生する。従って、互いに近傍に配置される配線に生じる磁界であって、向きが同じになる磁界が生じることはない。例えば、図７に示す磁界１４２，１４３のように、向きが同じになり、磁界の強さがより大きくなってしまうことはない。よって、複数の配線にＬＥＤを設けても、不要輻射を低減することができる。その結果、不要輻射に起因するオーディオシステムや表示画面への影響を少なく抑えることができる。
【００４９】
図３では、４本の配線を設ける場合を示したが、配線の数は３本であってもよい。図６は、本実施の形態において、ＬＥＤが接続される配線を３本とした場合の例を示す説明図である。図６に示す構成は、図３に示す構成から第４配線４０を除いた構成である。
【００５０】
この場合、第１配線の各ＬＥＤ１５、第２配線の各ＬＥＤ２５および第３配線の各ＬＥＤ３５は、ＬＥＤ１５，ＬＥＤ２５，ＬＥＤ３５の順に繰り返し並ぶように配置される。
【００５１】
図３に示す場合と同様に、各ＬＥＤは、直線状に並ぶように配置される。そして、既に説明したように、直線状に並ぶように配置される各ＬＥＤの中から両端を除いたＬＥＤのうち、少なくとも一部のＬＥＤは、両隣のＬＥＤとカソード同士およびアノード同士が向き合うように配置される。なお、直線状に並ぶように配置されるＬＥＤのうち、両端のＬＥＤは、片側にしかＬＥＤが存在しないので、片側に隣接するＬＥＤとはカソード同士あるいはアノード同士が向き合うように配置される。図６に示す例において、直線状に並ぶように配置される各ＬＥＤ１５，２５，３５の中から両端（右端のＬＥＤ１５および左端のＬＥＤ３５）を除いたＬＥＤに着目する。第３配線のＬＥＤ３５および第１配線のＬＥＤ１５は、ＬＥＤ３５のカソードとＬＥＤ１５のアノードが向き合うように配置される。しかし、第２配線２０のＬＥＤ２５は、両隣のＬＥＤとカソード同士およびアノード同士が向き合うように配置される。従って、両端を除いたＬＥＤのうち、少なくとも一部のＬＥＤは、両隣のＬＥＤとカソード同士およびアノード同士が向き合うように配置された状態になっている。
【００５２】
なお、図６に示す左端のＬＥＤ３５は、片側に隣接するＬＥＤ２５とアノード同士が向き合うように配置されている。また、図６に示す右端のＬＥＤ１５は、片側に隣接するＬＥＤ２５とカソード同士が向き合うように配置されている。
【００５３】
その他の点に関しては、配線数が４本の場合（図３参照。）と同様である。
【００５４】
次に、各配線１０〜３０に電流を流したときに発生する磁界について説明する。第１配線１０では、第１配線のアノード端子１１から第１配線のカソード端子１２に電流が流される。この結果、図６に示す磁界７１ａ，７１ｂ，７２が発生する。磁界７１ａ，７１ｂは、第１配線１０におけるＬＥＤを設けた部分に電流が流れたことにより生じる磁界である。磁界７２は、第１配線１０における複数のＬＥＤ１５が設けられていない部分１３に電流が流れたことにより生じる磁界である。
【００５５】
同様に、第２配線２０では、第２配線のアノード端子２１から第２配線のカソード端子２２に電流が流される。この結果、図６に示す磁界７３ａ，７３ｂ，７４が発生する。磁界７３ａ，７３ｂは、第２配線２０におけるＬＥＤを設けた部分に電流が流れたことにより生じる磁界である。磁界７４は、第２配線２０における複数のＬＥＤ２５が設けられていない部分２３に電流が流れたことにより生じる磁界である。
【００５６】
同様に、第３配線３０では、第３配線のアノード端子３１から第３配線のカソード端子３２に電流が流される。この結果、図６に示す磁界７５ａ，７５ｂ，７６が発生する。磁界７５ａ，７５ｂは、第３配線３０におけるＬＥＤを設けた部分に電流が流れたことにより生じる磁界である。磁界７６は、第３配線３０における複数のＬＥＤ３５が設けられていない部分３３に電流が流れたことにより生じる磁界である。
【００５７】
磁界７６および磁界７４は、互いに打ち消し合う向きに発生する。磁界７４および磁界７２、磁界７２および磁界７１ａ、磁界７１ａおよび磁界７３ａ、磁界７３ａおよび磁界７５ａ、磁界７１ｂおよび磁界７３ｂ、磁界７３ｂおよび磁界７５ｂに関しても、互いに打ち消し合う向きに発生する。従って、互いに近傍に配置される配線に生じる磁界であって、向きが同じになる磁界が生じることはない。例えば、図７に示す磁界１４２，１４３のように、向きが同じになり、磁界の強さがより大きくなってしまうことはない。よって、複数の配線にＬＥＤを設けても、不要輻射を低減することができる。その結果、不要輻射に起因するオーディオシステムや表示画面への影響を少なく抑えることができる。
【００５８】
第２の実施の形態の説明では、配線数が４本（図３参照。）および配線数が３本（図６参照。）の場合を例にして説明したが、配線数は２本でも、あるいは５本以上であってもよい。
【００５９】
以下、第２の実施の形態における配線数が奇数の場合と偶数の場合とで、磁界の打ち消しの態様を比較する。第２の実施の形態において、配線数が奇数の場合、直線状に並ぶように配置される各ＬＥＤの中から両端を除いたＬＥＤのうち、少なくとも一部のＬＥＤが、隣接する両隣のＬＥＤとカソード同士およびアノード同士が向き合うように配置される。配線数が偶数の場合、直線状に並ぶように配置される各ＬＥＤの中から両端を除いた全てのＬＥＤが、両隣のＬＥＤとカソード同士およびアノード同士が向き合うように配置される。
【００６０】
配線数が奇数の場合として、配線数が３の場合を例にして説明する。この場合、例えば、図６に示す磁界７６，７４が互いに打ち消し合う。同様に、磁界７２，７１ａが互いに打ち消し合い、磁界７３ａ，７５ａが互いに打ち消し合う。また、磁界７１ｂ，７３ｂが互いに打ち消し合う。すると、例えば、磁界７５ｂが残る。
【００６１】
また、配線数が偶数の場合として、配線数が４の場合を例にして説明する。この場合、例えば、図３に示す磁界７８，７６が互いに打ち消し合う。また、磁界７４，７２が互いに打ち消し合う。同様に、磁界７１，７３が互いに打ち消し合い、磁界７５，７７が互いに打ち消し合う。
【００６２】
従って、配線数が偶数の場合の方が、不要輻射をより低減することができる。換言すれば、直線状に並ぶように配置される各ＬＥＤの中から両端を除いた全てのＬＥＤが、両隣のＬＥＤとカソード同士およびアノード同士が向き合うように配置した方が、不要輻射をより低減することができる。
【産業上の利用可能性】
【００６３】
本発明は、例えば、液晶表示装置等の表示装置のバックライトに適用可能である。
【図面の簡単な説明】
【００６４】
【図１】本発明の発光装置の第１の実施の形態を示す説明図。
【図２】複数の基板に配線を設ける場合の配線の配置例を示す説明図。
【図３】本発明の発光装置の第２の実施の形態を示す説明図。
【図４】略乙字状に引き回される配線を示す説明図。
【図５】第１配線のＬＥＤ同士を接続する配線を略コの字状に引き回した状態を示す説明図。
【図６】第２の実施の形態において、ＬＥＤが接続される配線を３本とした場合の例を示す説明図。
【図７】他の発光装置の構成例を示す説明図。
【図８】一定周期ＴにおけるＬＥＤに対する電圧供給時間の例を示す説明図。
【符号の説明】
【００６５】
１０  第１配線
１１  第１配線のアノード端子
１２  第１配線のカソード端子
１５  ＬＥＤ
２０  第２配線
２１  第２配線のアノード端子
２２  第２配線のカソード端子
２５  ＬＥＤ
３０  第３配線
３１  第３配線のアノード端子
３２  第３配線のカソード端子
３５  ＬＥＤ
４０  第４配線
４１  第４配線のアノード端子
４２  第４配線のカソード端子
４５  ＬＥＤ
【図１】
2007207922.tif 000003
【図２】
2007207922.tif 000004
【図３】
2007207922.tif 000005
【図４】
2007207922.tif 000006
【図５】
2007207922.tif 000007
【図６】
2007207922.tif 000008
【図７】
2007207922.tif 000009
【図８】
2007207922.tif 000010